(57)【特許請求の範囲】
【請求項１】
床面に設置されるベース（１）と、該ベース（１）の上に配置される枠体（２）とを設け、
前記枠体（２）内に空気流路（３）を配置し、前記枠体（２）背面に前記空気流路（３）の入口を形成する空気取入口（４）と、前記枠体（２）前面に前記空気流路（３）の出口を形成する空気吹出口（５）とを設け、前記空気取入口（４）から前記空気吹出口（５）に至る前記空気流路（３）に空気流を作り出す送風ファン（６）を設けると共に、
前記枠体（２）の前面の前記空気吹出口（５）が前方を向いた状態と上方を向いた状態との間で、吹出角度を変更できるように角度調節機構（７）を設けたサーキュレータにおいて、
前記枠体（２）内には左右方向に伸ばされた回転軸部（８）を設けると共に、前記枠体（２）の下面から背面に連続するスリット状開口（９）を形成し、
かつ、前記ベース（１）には前記スリット状開口（９）を貫通して前記枠体（２）内に伸ばされた支柱（１０）と、前記支柱（１０）の上部に形成されて前記回転軸部（８）を回動可能に支持する基部（１１）とを設け、
前記角度調節機構（７）は前記回転軸部（８）と前記基部（１１）とによって前記枠体（２）内に構成されており、前記枠体（２）が回転軸部（８）を回動中心として回動するように構成されていることを特徴とするサーキュレータ。
【請求項２】
前記ベース（１）の上面と前記スリット状開口（９）を含む前記枠体２の底面と背面の連続する表面は回転軸部（８）を中心とした円弧状の湾曲面で形成し、前記ベース（１）の上面とスリット状開口（９）の表面とが所定の間隔（１２）で対向すると共に、
枠体２に外部から一定の荷重がかかると前記ベース１と前記枠体２とが接触することを特徴とする請求項１記載のサーキュレータ。
【請求項３】
前記回転軸部（８）の中央には前記ファンモータ（６ａ）が取り付けられる固定部材（８ａ）を設け、前記ファンモータ（６ａ）を前記回転軸部（８）に配置することを特徴とする請求項１または２に記載のサーキュレータ。
【請求項４】
前記基部（１１）は前記支柱（１０）よりも枠体（２）前面の空気吹出口（５）側に形成し、前記支柱（１０）を前記回転軸部（８）よりも枠体（２）背面側に配置したことを特徴とする請求項１から３に記載のサーキュレータ。
【請求項５】
前記回転軸部（８）は両端部が中央部よりも枠体（２）の背面側に位置するようにクランク部（８ｂ）を形成すると共に、前記回転軸部（８）の中央部に前記ファンモータ（６ａ）の固定部材（８ａ）と基部（１１）との嵌合部（８ｃ）とを構成したことを特徴とする請求項１から４に記載のサーキュレータ。
【請求項６】
前記回転軸部（８）の嵌合部（８ｃ）と前記支柱（１０）は中空形状に形成し、前記枠体（２）と前記ベース（１）との空間を連通する連通部（１３）を形成し、前記ファンモータ（６ａ）の配線コード（６ｂ）が前記連通部（１３）内を経てベース（１）に配置されていることを特徴とする請求項１から５に記載のサーキュレータ。
【発明の詳細な説明】
【技術分野】
【０００１】
この発明は室内空気を循環させるサーキュレータに関する。
【背景技術】
【０００２】
床面に設置されるベースの上に枠体を設け、枠体内にはファンモータと送風ファンとを備え、枠体背面の空気取入口から取り入れた室内空気を枠体前面の空気吹出口から吹出す構成のサーキュレータが知られている。また、枠体とベースの間には角度調節機構を備えており、枠体前面の空気吹出口の吹出角度が前方と上方の間で変更できるようになっている。
【先行技術文献】
【特許文献】
【０００３】
【特許文献１】登録実用新案公報  第３１０４９００号
【発明の概要】
【発明が解決しようとする課題】
【０００４】
従来のサーキュレータは、角度調節機構が枠体外に形成されたものが一般的であり、ベースの上に間隔をあけて２本の支持部材が形成され、支持部材の間に枠体が回動可能に取り付けられている。２本の支持部材は枠体よりも幅広の間隔で配置されるため、ベースの形状は必ず枠体よりも大きくなり、製品全体の形状が大きくなってしまうものであった。また、枠体の側面に角度調節機構を配置するため、デザインの変更が難しい構造となっており、デザインの自由度が低いという課題があった。
【０００５】
また、従来の一般的なサーキュレータの場合、送風ファンのファンモータが枠体内の背面側に寄せられて配置されているが、枠体の重量のバランスが悪く転倒の可能性があるため、重量のバランスを取るための構造が新たに必要となる場合があり、部品点数や重量の増加などの課題がある。また、空気吹出口の吹出角度を調節するときに枠体の重量のバランスが変化するため、操作性が悪いという課題もあった。
【課題を解決するための手段】
【０００６】
この発明は上記の課題を解決するもので、床面に設置されるベース１と、該ベース１の上に配置される枠体２とを設け、前記枠体２内に空気流路３を配置し、前記枠体２背面に前記空気流路３の入口を形成する空気取入口４と、前記枠体２前面に前記空気流路３の出口を形成する空気吹出口５とを設け、前記空気取入口４から前記空気吹出口５に至る前記空気流路３に空気流を作り出す送風ファン６を設けると共に、前記枠体２の前面の前記空気吹出口５が前方を向いた状態と上方を向いた状態との間で、吹出角度を変更できるように角度調節機構７を設けたサーキュレータにおいて、前記枠体２内には左右方向に伸ばされた回転軸部８を設けると共に、前記枠体２の下面から背面に連続するスリット状開口９を形成し、かつ、前記ベース１には前記スリット状開口９を貫通して前記枠体２内に伸ばされた支柱１０と、前記支柱１０の上部に形成されて前記回転軸部８を回動可能に支持する基部１１とを設け、前記角度調節機構７は前記回転軸部８と前記基部１１とによって前記枠体２内に構成されており、前記枠体２が回転軸部８を回動中心として回動するように構成されていることを特徴とするものである。
【０００７】
前記ベース１の上面と前記スリット状開口９を含む前記枠体２の底面と背面の連続する表面は回転軸部８を中心とした円弧状の湾曲面で形成し、前記ベース１の上面とスリット状開口９の表面とが所定の間隔１２で対向すると共に、枠体２の外部から一定の荷重がかかると前記ベース１と前記枠体２とが接触することにより、外部からの荷重に対しては枠体２が直接ベース１の上面によって支持されるものである。
【０００８】
また、前記回転軸部８の中央には前記ファンモータ６ａが取り付けられる固定部材８ａを設け、前記ファンモータ６ａを前記回転軸部８に配置することにより、ファンモータ６ａを枠体２内の中央に配置できると共に、枠体２背面の空気取入口４と送風ファン６との距離を確保することができる。
【０００９】
また、前記基部１１は前記支柱１０よりも枠体２前面の空気吹出口５側に形成し、前記支柱１０を前記回転軸部８よりも枠体２背面側に配置したことにより、枠体２のスリット状開口９と送風ファン６との距離を確保することができる。
【００１０】
また、前記回転軸部８は両端部が中央部よりも枠体２の背面側に位置するようにクランク部８ｂを形成すると共に、前記回転軸部８の中央部に前記ファンモータ６ａの固定部材８ａと基部１１との嵌合部８ｃとを構成したことにより、送風ファン６と回転軸部８との間隔を大きくすることなく、送風ファン６と回転軸部８との接触を防ぐことができる。
【００１１】
前記回転軸部８の嵌合部８ｃと前記支柱１０は中空形状に形成し、前記枠体２と前記ベース１との空間を連通する連通部１３を形成し、前記ファンモータ６ａの配線コード６ｂが前記連通部１３内を経てベース１に配置されていることにより、枠体２内に配線コード６ｂが露出しない構成にすることができた。
【発明の効果】
【００１２】
この発明は、ベース１から形成した支柱１０が枠体２に設けたスリット状開口９を貫通して枠体２内に位置し、支柱１０の上部に形成した基部１１と枠体２内に設けた回転軸部８が枠体２内で嵌合することで、枠体２がベース１の上に取り付けられており、枠体２は回転軸部８を回動中心として回動可能に構成されており、枠体２の前面の空気吹出口５の吹出角度が変更可能となっている。枠体２の角度調節機構７を枠体２内の回転軸部８と基部１１とによって構成することで、デザイン処理が難しい角度調節機構７が露出しない構造が実現できたから、ベース１や枠体２のデザインが変更しやすい構造となり、デザイナーの意図するデザインが容易に実現できるものとなった。
【００１３】
また、ベース１の上面とスリット状開口９が配置される枠体２の底面から背面に連続する表面を回転軸部８を中心とした円弧状の湾曲面で形成し、ベース１の上面とスリット状開口９を含む枠体２の表面とが所定の間隔１２を保ちながら枠体２が回転軸部８を中心に回動する構成として、通常は回転軸部８と支柱１０とによって枠体２が支持される構造となっている。一方、枠体２の外部から荷重がかかったときは、間隔１２がなくなって枠体２の底面もしくは背面がベース１の上面に接触して、ベース１の上面で直接枠体２を支持することで、外部からの荷重に対する強度を得ることができた。このため、空気流路３内の風の流れの障害となる回転軸部８や支柱１０の形状を小さくすることができ、送風能力の低下を最小限に抑えることができるから、枠体２の形状を大きくすることなく角度調節機構７が外部に露出しない構造が実現できるから、製品全体をコンパクトな形状にすることができる。
【００１４】
また、送風ファン６のファンモータ６ａを枠体２内に固定するための固定部材８ａを回転軸部８の中央に設け、ファンモータ６ａを回転軸部８に配置している。このため、枠体２の背面の空気取入口４と枠体２内の送風ファン６との距離を確保することができ、空気取入口４から指などを挿入した場合でも、送風ファン６に触れることがなくなり、安全性が向上できるものとなった。また、重量のあるファンモータ６ａが枠体２の回動中心に位置するので、枠体２内の重量のバランスが良くなり安定性が向上でき、空気吹出口５の吹出角度の変更時に枠体２の重量のバランスがほとんど変化しないから、操作性が向上できたものである。
【００１５】
また、枠体２内において、支柱１０の位置を回転軸部８と基部１１の位置よりも枠体２の背面側に位置するように構成したから、枠体２のスリット状開口９の端部と枠体２内の送風ファン６との距離を確保することができ、スリット状開口９から指が挿入された場合でも送風ファン６に触れることはなく、安全性が向上できるものとなった。
【００１６】
また、回転軸部８にはクランク部８ｂを形成して、回転軸部８の両端部が中央部よりも枠体２の背面側に位置するように構成し、中央部にファンモータ６ａの固定部材８ａと基部１１との嵌合部８ｃを設けている。このようにすると、送風ファン６とファンモータ６ａの位置を近づけても、送風ファン６と回転軸部８とが接触しない構造が実現できるから、枠体２の前後方向の幅を短くできコンパクト化が可能となった。
【００１７】
また、回転軸部８の嵌合部８ｃと支柱１０の内部には、枠体２とベース１との空間を連通する連通部１３を形成し、固定部材８ａに取り付けたファンモータ６ａの配線コード６ｂが連通部１３内を経てベース１内に配置されるようにした。ファンモータ６ａの配線コード６ｂを枠体２内に露出させることなく直接連通部１３内に配置することができるから、枠体２内に侵入した異物や送風ファン６が配線コード６ｂと接触する恐れがなくなり、配線コード６ｂの破損や断線などのトラブルを防ぐことができるものとなった。
【図面の簡単な説明】
【００１８】
【図１】この発明の実施例を示すサーキュレータの縦断面図である。
【図２】この発明の実施例を示すサーキュレータの横断面図である。
【図３】この発明の実施例を示すサーキュレータの要部断面図である。
【図４】この発明の実施例を示すサーキュレータの空気吹出口を上方に向けた状態を示す縦断面図である。
【発明を実施するための形態】
【００１９】
図に示す実施例によってこの発明を説明すると、１はサーキュレータのベース、２はベース１の上に設置する枠体、４は枠体２の背面に形成した空気取入口、５は枠体２の前面に形成した空気吹出口、３は枠体２背面の空気取入口４と枠体２前面の空気吹出口５とを連通するように枠体２内に形成した空気流路、６は枠体２の空気流路３内に配置したプロペラファンで構成される送風ファンである。
【００２０】
６ａは送風ファン６のファンモータ、６ｂはファンモータ６ａの配線コード、１４はベース１に設けた運転スイッチを兼ねる風量設定手段、１５は壁コンセントに接続する電源コードであり、ファンモータ６ａの配線コード６ｂと電源コード１５はベース１内で風量設定手段１４を介して接続されている。風量設定手段１４は例えば「強」「中」「弱」「微風」「停止」のいずれかが設定できるようになっており、風量設定手段１４が「停止」のときはファンモータ６ａへの電源が切断されており、風量設定手段１４が「強」「中」「弱」「微風」のいずれかに設定されるとファンモータ６ａに通電されて送風ファン６が回転し、枠体２背面の空気取入口４から室内空気を吸い込み、枠体２前面の空気吹出口５から枠体２前方に吹き出す。風量設定手段１４によって「強」「中」「弱」「微風」の設定を変更すると、ファンモータ６ａへの出力電圧が変更し、ファンモータ６の回転数が変更されるものであり、運転・停止と風量の切り替えを１つのスイッチで行うことができるようになっている。
【００２１】
７はベース１と枠体２との間に形成した角度調節機構であり、枠体２の前面の空気吹出口５の吹出角度が前方と上方との間で変更できるようになっている。サーキュレータは床面に設置されるが、枠体２前面の空気吹出口５を斜め上方や真上に向けることで、部屋の上部空間や天井に向けて送風して室内空気を循環することができる。
【００２２】
冬季にストーブなどの暖房機器と併用するときには、枠体２の前面の空気吹出口５を上方に向けると天井付近の温められた空気が循環しやすくなり、天井付近に暖かい空気が溜まるのを防ぐことができ、床面と天井の温度差をなくして室内温度を均一にできる。一方、夏季にエアコンなどの冷房機器と併用するときは、枠体２の前面の空気吹出口５を斜め上方に向けると低温度の空気が室内全体に循環しやすくなり、床面と天井の温度差をなくして室内温度を均一にできるようになっている。
【００２３】
ところで、サーキュレータは送風ファン６の送風能力に合わせて空気流路３の大きさを決定し、空気流路３の形状に合わせて枠体２の大きさが決定するが、従来は角度調節機構７が枠体２の外側に配置された構造が一般的であり、角度調節機構７の分だけ枠体２よりもベース１の形状を大きくする必要があるため、製品の全体形状が大きくなってしまっていた。また、角度調節機構７を配置するためデザイン上の制約があり、ベース１や枠体２のデザインの自由度を低くしているため、デザインの変更がしやすい構造の要望がある。
【００２４】
８は枠体２内の中央に左右方向に伸ばされた回転軸部であり、回転軸部８は両端が空気流路３を形成する枠体２内の側壁に係合してネジ止めなどの固定方法によって固定されている。９は枠体２の底面から背面に連続するスリット状開口であり、平行する２本の長孔で構成されている。
【００２５】
１０はベース１の上面から上方に伸ばされた２本の支柱であり、支柱１０は枠体２のスリット状開口９を貫通して枠体２内に位置している。１１は支柱１０の上端に形成されて回転軸部８を回動可能に支持するための基部、１１ａは回転軸部８を間に挟むように基部１１に取り付けられる固定手段であり、固定手段１１ａをネジ止めなどの固定方法によって基部１１に固定すると、基部１１と固定手段１１ａによって軸受け構造を構成して回転軸部８を回動可能に保持している。
【００２６】
ベース１の上に配置された枠体２は、回転軸部８を回動中心として回動して、枠体２前面の空気吹出口５が前方と上方の間で吹出角度を変更できるようになり、枠体２内の回転軸部８と支軸１１とによって角度調節機構７を構成することができた。
枠体２のスリット状開口９は、枠体２が回動するときの支柱１０の逃がし構造となっており、枠体２の空気吹出口５が前方を向いているときはスリット状開口９の底面側の端部が支柱１０と接触する位置となり、枠体２の空気吹出口５が上方を向くように変更すると、スリット状開口９の枠体２底面側の端部が支柱１０から離れ、枠体の背面が下向きになってスリット状開口９の背面側の端部が支柱１０に接触する位置まで回動する。
【００２７】
このため、ベース１と枠体２の外部に角度調節機構７が露出しない構造になったから、ベース１や枠体２の形状に制約がなくなって、デザインの変更がしやすい構造となったから、デザインの自由度が高まり、デザイナーの意図したデザインが容易に実現できるものとなった。
【００２８】
１２はベース１の上面と枠体２の底面もしくは背面との間に形成される間隔であり、この発明の実施例ではベース１の上面と、枠体２のスリット状開口９の間の底面から背面に連続する表面を、回転軸部８を中心とした円弧状の湾曲面で構成したから、枠体２が回転軸部８を回動中心として回動して空気吹出口５の向きを変更したときも、湾曲面で構成されたベース１の上面と枠体２の底面もしくは背面とは一定の間隔１２を維持しており、ベース１と枠体２とが接触しない構造となっている。
【００２９】
一方、枠体２の外部から枠体２に一定以上の荷重がかけられたときは、回転軸部８と支柱１０が撓んで枠体２の位置が下側に変化し、ベース１と枠体２との間隔１２がなくなって枠体２の底面もしくは背面の湾曲面がベース１の上面の湾曲面と接触するように設定している。
【００３０】
このため、外部からの荷重に対しては枠体２が直接ベース１の上面にのって支持される構造となり、回転軸部８や支柱１０には一定以上の荷重がかからない構造にすることができたから、回転軸部８と支柱１０は枠体２の重量を支持できる強度に設定すればよく、空気流路３内に配置される回転軸部８や支柱１０の形状を小さくできるものとなった。
空気流路３内に配置される回転軸部８や支柱１０は送風ファン６の風の流れの妨げとなるが、この構成では送風能力の低下を最小限に抑えることができるから、枠体２の形状を大きくすることなく角度調節機構７が外部に露出しない構造が実現できたから、製品全体をコンパクトな形状にすることができる。
【００３１】
図２において、８ａは２本の支柱１０の基部１１の間に位置する回転軸部８の中央部に設けたファンモータ６ａの固定部材であり、ファンモータ６ａは固定部材８ａに取り付けてネジ止めなどの固定方法によって固定されており、回転軸部８の中央部に配置される。
枠体２内に配置された部品の中で重量のあるファンモータ６ａが枠体２の回動中心に位置するから、枠体２を回転軸部８を回転中心として回動して枠体２の向きを変更したときに、枠体２内の重量のバランスが大きく変化することがなくなった。このため、枠体２の向きを変更するときに重量の変化が少なく安定した構造となるから、取り扱い性が向上できるものとなった。
【００３２】
また、送風ファン６を構成するプロペラファンは羽根の先端が枠体２の背面側に傾斜した形状となっているため、送風ファン６の羽根の先端は空気取入口４に近づく構造となっているが、ファンモータ６ａを回転軸部８に取り付けることで送風ファン６も枠体２内の中央付近に位置するものとなったから、枠体２の空気取入口４と送風ファン６との距離を確保することができ、空気取入口４から指等が挿入された場合でも、送風ファン６の羽根に指が触れることはなくなり、安全性を向上することができるものとなった。
【００３３】
また、枠体２の背面側のスリット状開口９は空気取入口４と同じ位置にあるので、枠体２の背面側のスリット状開口９から指が挿入されても送風ファン６に触れる心配はない。一方、枠体２の空気吹出口５を上方に向けたときには、枠体２の底面側のスリット状開口９から指を挿入することができるが、枠体２の底面側のスリット状開口９は送風ファン６との距離が近くなるため、この場合でも送風ファン６に触れないようにする工夫が必要となる。
この対策として、支柱１０の上部に位置する基部１１が支柱１０よりも枠体２の前面側に突出するように形成しており、基部１１に取り付けられた回転軸部８が支柱１０よりも枠体２前面側に位置するように構成している。このようにすると、スリット状開口９の底面側の端部を枠体２の回動中心となる回転軸部８よりも枠体２の背面側に位置させることができ、スリット状開口９と送風ファン６との距離を確保することができるので、枠体２の空気吹出口５を上方に向けたときに、枠体２底面側のスリット状開口９から指を挿入した場合でも、送風ファン６に指が触れることはなく安全性が確保できるものとなった。
【００３４】
また、回転軸部８は送風ファン６とファンモータ６ａとの間に位置するため、送風ファン６の羽根と回転軸部８との接触を防ぐ必要があり、ファンモータ６ａのモータ軸の寸法を長くすれば、送風ファン６と回転軸部８が接触しない構造となるが、送風ファン６と空気吹出口５との距離が短くなってしまい、枠体２の前後方向の幅が必要となることがあり、枠体形状が大きくなってしまう可能性があるため、できるだけコンパクトな枠体形状で実現したい。
【００３５】
８ｂは回転軸部８の中央部と両端部との間に形成したクランク部であり、回転軸部８はクランク部８ｂよりも外側の両端部が中央部よりも枠体２の背面側に位置するように構成されている。８ｃは回転軸部８に形成した基部１１との嵌合部であり、クランク部８ｂの内側に嵌合部８ｃが形成され、嵌合部８ｃの内側に固定部材８ａが形成されてファンモータ６ａが取り付けられており、ファンモータ６ａと嵌合部８ｃが回転軸部８の中央部に配置されている。
回転軸部８はクランク部８ｂの内側の嵌合部８ｃで基部１１と嵌合しており、クランク部８ｂより外側の両端部が枠体２内の側壁と係合しているから、枠体２の回動中心の位置は変更されないが、枠体２と回転軸部８との係合位置はクランク部８ｂの分だけ枠体２の背面側に位置する構造となる。
【００３６】
この構造によって、回転軸部８のクランク部８ｂよりも外側の両端部がファンモータ６ａの固定部材８ａよりも枠体２背面側に位置するから、ファンモータ６ａと送風ファン６との距離を短くしても、送風ファン６の羽根と回転軸部８の両端部とが接触しない構造にすることができ、枠体２の前後方向の幅を短くしてコンパクトな形状にすることができるものである。
【００３７】
また、この発明の実施例において、回転軸部８の嵌合部８ｃと支柱１０は中空に作られており、１３は中空の嵌合部８ｃと支柱１０の内部に形成される連通部であり、枠体２とベース１との空間が連通部１３を介して連通している。
嵌合部８ｃの連通部１３ａは一方が固定部材８ａに取り付けたファンモータ６ａの近傍に開口し、他方が基部１１内に開口している。また、支柱１０内の連通部１３ｂは上部が基部１１内に開口し、下部がベース１内に開口しており、嵌合部８ｃの連通部１３ａと支柱１０内の連通部１３ｂが基部１１内で連続して、１つの連通部１３を構成している。
ファンモータ６ａの配線コード６ｂは嵌合部８ｃの開口から連通部１３ａに通され、基部１１内を経て支柱１０の連通部１３ｂに通され、ベース１内に届いており、ベース１内に配置された風量設定手段１４に接続されている。
【００３８】
従来は配線コード６ｂが枠体２の内面に沿って配置されていたため、配線コード６ｂが枠体２内に露出した構造となっており、枠体２内に誤って物品が挿入されたときに物品が配線コード６ｂに接触する恐れがあり、また、配線コード６ｂが枠体２の内面から外れてしまうと送風ファン６と接触する恐れがあり、配線コード６ｂの破損や断線を発生させる恐れがあった。
【００３９】
この発明の構造では、ファンモータ６ａの配線コード６ｂを枠体２の内面などに沿って配置することなく、直接連通部１３に通すことができるから、枠体２内にファンモータ６ａの配線コード６ｂが全く露出しない構造が実現できたものである。枠体２内に侵入した物品や送風ファン６と配線コード６ｂが接触することがなくなり、配線コード６ｂの破損や断線などのトラブルを発生させる心配がなくなった。
【符号の説明】
【００４０】
１    ベース
２    枠体
３    空気流路
４    空気取入口
５    空気吹出口
６    送風ファン
６ａ  ファンモータ
６ｂ  配線コード
７    角度調節機構
８    回転軸部
８ａ  固定部材
８ｂ  クランク部
８ｃ  嵌合部
９    スリット状開口
１０    支柱
１１    基部
１２    間隔
１３    連通部
【図１】
0005454302.tif 000002
【図２】
0005454302.tif 000003
【図３】
0005454302.tif 000004
【図４】
0005454302.tif 000005